(57)【要約】【課題】本発明は、各分割コアを分割コア結合部材を介して強固に結合することを目的とする。【解決手段】本発明による分割コアを用いた輪状ステータの結合方法及び輪状ステータ構造は、各分割コア(1)の両側部に形成された係止溝部(1a)同志を分割コア結合部材(10)を介して結合する方法と構成である。【選択図】図１
2007181359.tif 000002
【特許請求の範囲】
【請求項１】
複数の分割コア(1)を輪状に結合して輪状ステータを形成する分割コアを用いた輪状ステータの結合方法において、
前記各分割コア(1)の両側部に形成された係止溝部(1a)同志を分割コア結合部材(10)を介して結合することを特徴とする分割コアを用いた輪状ステータの結合方法。
【請求項２】
前記分割コア結合部材(10)は、断面コ字型をなすことを特徴とする請求項１記載の分割コアを用いた輪状ステータの結合方法。
【請求項３】
前記係止溝部(1a)は、直角溝よりなることを特徴とする請求項１又は２記載の分割コアを用いた輪状ステータの結合方法。
【請求項４】
前記係止溝部(1a)は、蟻溝よりなることを特徴とする請求項１又は２記載の分割コアを用いた輪状ステータの結合方法。
【請求項５】
前記係止溝部(1a)は、テーパ溝よりなることを特徴とする請求項１又は２記載の分割コアを用いた輪状ステータの結合方法。
【請求項６】
複数の分割コア(1)を輪状に結合して輪状ステータを形成する分割コアを用いた輪状ステータ構造において、
前記各分割コア(1)の両側部に形成された係止溝部(1a)同志を分割コア結合部材(10)を介して結合した構成よりなることを特徴とする分割コアを用いた輪状ステータ構造。
【請求項７】
前記分割コア結合部材(10)は、断面コ字型よりなることを特徴とする請求項６記載の分割コアを用いた輪状ステータ構造。
【請求項８】
前記係止溝部(1a)は、直角溝よりなることを特徴とする請求項６又は７記載の分割コアを用いた輪状ステータ構造。
【請求項９】
前記係止溝部(1a)は、蟻溝よりなることを特徴とする請求項６又は７記載の分割コアを用いた輪状ステータ構造。
【請求項１０】
前記係止溝部(1a)は、テーパ溝よりなることを特徴とする請求項６又は７記載の分割コアを用いた輪状ステータ構造。
【発明の詳細な説明】
【技術分野】
【０００１】
本発明は、分割コアを用いた輪状ステータの結合方法及び輪状ステータ構造に関し、特に、各分割コアの両側部に形成された係止溝部同志を断面形状でコ字型をなす分割コア結合部材で極めて強固に結合するための新規な改良に関する。
【背景技術】
【０００２】
従来、用いられていたこの種の分割コアを用いた輪状ステータの結合方法としては、特許文献を特に示していないが、一般に、各分割コアの両側部に形成された係止部同志を直接結合させて、輪状ステータを形成していた。
【発明の開示】
【発明が解決しようとする課題】
【０００３】
従来の分割コアを用いた輪状ステータの結合方法は、以上のように構成されていたため、次のような課題が存在していた。
すなわち、分割コアの両側部に形成された係止部同志を直接結合するため、これらの結合構造は、メス／オス嵌合式の構成であるため、締結力が比較的弱く、組立て後の輪状ステータの外周に締結バンド等を必要とする場合があった。
【課題を解決するための手段】
【０００４】
本発明による、分割コアを用いた輪状ステータの結合方法は、複数の分割コアを輪状に結合して輪状ステータを形成する分割コアを用いた輪状ステータの結合方法において、前記各分割コアの両側部に形成された係止溝部同志を分割コア結合部材を介して結合する方法であり、また、前記分割コア結合部材は、断面コ字型をなす方法であり、また、前記係止溝部は、直角溝よりなる方法であり、また、前記係止溝部は、蟻溝よりなる方法であり、また、前記係止溝部は、テーパ溝よりなる方法であり、また、本発明による輪状ステータ構造は、複数の分割コアを輪状に結合して輪状ステータを形成する分割コアを用いた輪状ステータ構造において、前記各分割コアの両側部に形成された係止溝部同志を分割コア結合部材を介して結合した構成であり、また、前記分割コア結合部材は、断面コ字型よりなる構成であり、また、前記係止溝部は、直角溝よりなる構成であり、また、前記係止溝部は、蟻溝よりなる構成であり、また、前記係止溝部は、テーパ溝よりなる構成である。
【発明の効果】
【０００５】
本発明による分割コアを用いた輪状ステータの結合方法及び輪状ステータ構造は、以上のように構成されているため、次のような効果を得ることができる。
すなわち、各分割コア間の各係止溝部に分割コア結合部材を結合させることにより各分割コアが一体状に強固に結合され、従来よりも強い結合力を伴って輪状ステータを形成することができる。
【発明を実施するための最良の形態】
【０００６】
本発明は、各分割コアの両側部に形成された係止溝部同志を断面形状でコ字型をなす分割コア結合部材で極めて強固に組合するようにした分割コアを用いた輪状ステータの結合方法及び輪状ステータ構造を提供することを目的とする。
【実施例】
【０００７】
以下、図面と共に本発明による分割コアを用いた輪状ステータの結合方法及び輪状ステータ構造の好適な実施の形態について説明する。
図１において符号１で示されるものは、複数の分割コアであり、各分割コア１は磁極２を有すると共にその両側部に一対の係止溝部１ａを有している。
【０００８】
前記各係止溝部１ａは、その溝形状が直角形状の直角溝方式よりなり、各分割コア１間の互いに隣接する各係止溝部１ａには、断面形状がコ字型をなす分割コア結合部材１０が嵌合され、この分割コア結合部材１０の一対の嵌合突起１０ａが前記係止溝部１ａに嵌合することにより、各分割コア１は互いに強固に一体状に結合される。
【０００９】
前述の図１の構成においては、３個の分割コア１を分割コア結合部材１０で結合した場合について述べたが、この分割コア１を順次結合させて輪状とすることにより、輪状ステータを形成することができる。
【００１０】
尚、図２で示される構成は、図１の他の形態を示すもので、図１の直角溝方式に対し、係止溝部１ａを蟻溝状とした蟻溝方式とし、図３で示される構成においては、テーパ溝方式とし、係止溝部１ａをテーパ溝状としたテーパ溝方式とした形態を示している。
【００１１】
図４から図６は、前述の図１から図３で示される形態における各１個の分割コア１を拡大して示す斜視図である。
【産業上の利用可能性】
【００１２】
本発明は、モータ及びレゾルバ等のステータに広く適用可能である。
【図面の簡単な説明】
【００１３】
【図１】本発明による分割コアを用いた輪状ステータの結合方法を示す要部の平面図である。
【図２】図１の他の形態を示す平面図である。
【図３】図１の他の形態を示す平面図である。
【図４】図１の分割コアの拡大斜視図である。
【図５】図２の分割コアの拡大斜視図である。
【図６】図３の分割コアの拡大斜視図である。
【符号の説明】
【００１４】
１    分割コア
１ａ    係止溝部
２    磁極
１０    分割コア結合部材
１０ａ    嵌合突起
【図１】
2007181359.tif 000003
【図２】
2007181359.tif 000004
【図３】
2007181359.tif 000005
【図４】
2007181359.tif 000006
【図５】
2007181359.tif 000007
【図６】
2007181359.tif 000008